【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
第１のレートよりも高いレートでデータトラックを読み出すことにより形成されるアナログ信号を非同期サンプリングする非同期アナログ／デジタル変換器であって、前記データトラックは第１のレートでデータ記憶媒体に書き込まれた、非同期アナログ／デジタル変換器と、
該アナログ／デジタル変換器に相互接続される補間器と、
該補間器に相互接続される分数間隔等化器であって、前記補間器は補間されたサンプルを該分数間隔等化器に補間レートで提供し、該分数間隔等化器は等化レートで等化された同期サンプルを形成し、前記補間レートは前記等化レート以上であり、前記補間レートは前記第１のレートよりも高い、分数間隔等化器と、
該分数間隔等化器に相互接続される利得制御モジュールと、
該利得制御モジュールに相互接続されるシーケンス検出器と、
を備える読み出しチャネル。
【請求項２】
前記第１のレートよりも大きなレートで前記アナログ信号を非同期領域においてオーバーサンプリングするアップサンプラをさらに備える、請求項１に記載の読み出しチャネル。
【請求項３】
前記シーケンス検出器および前記補間器に相互接続されるタイミング制御回路を含む第１のフィードバック回路をさらに備える、請求項２に記載の読み出しチャネル。
【請求項４】
前記シーケンス検出器および前記分数間隔等化器に相互接続される最小平均二乗更新回路を含む第２のフィードバック回路をさらに備える、請求項３に記載の読み出しチャネル。
【請求項５】
前記シーケンス検出器および前記利得制御モジュールに相互接続される第３のフィードバック回路をさらに備える、請求項４に記載の読み出しチャネル。
【請求項６】
前記第２のフィードバック回路は前記第３のフィードバック回路から切り離される、請求項５に記載の読み出しチャネル。
【請求項７】
前記シーケンス検出器は部分応答最尤シーケンス検出器を含む、請求項６に記載の読み出しチャネル。
【請求項８】
前記シーケンス検出器はノイズ予測最尤シーケンス検出器を含む、請求項６に記載の読み出しチャネル。
【請求項９】
前記ノイズ予測最尤シーケンス検出器は、ブランチメトリック計算アルゴリズムおよび複数の予測フィルタを備え、該予測フィルタは前記ブランチメトリック計算アルゴリズム内に埋め込まれ、前記アルゴリズムの各遷移に前記複数の予測フィルタのうちの異なる１つが関連付けられる、請求項８に記載の読み出しチャネル。
【請求項１０】
データ記憶媒体にエンコードされた情報を読み出す方法であって、
アナログ／デジタル変換器、該アナログ／デジタル変換器に相互接続される補間器、該補間器に相互接続される分数間隔等化器、該分数間隔等化器に相互接続される利得制御モジュール、および該利得制御モジュールに相互接続されるシーケンス検出器を備える読み出しチャネルを供給するステップと、
データ記憶媒体に書き込まれたデータトラックを読み出すステップであって、それにより、アナログ信号を形成し、前記データトラックは第１のレートでエンコードされた情報を含む、読み出すステップと、
前記アナログ信号を固定サンプリングレートで非同期サンプリングするステップであって、それにより、サンプリング信号を形成する、非同期サンプリングするステップと、
補間されたサンプルを形成するステップと、
前記補間されたサンプルを前記分数間隔等化器に補間レートで提供するステップであって、前記補間レートは前記第１のレートよりも大きい、提供するステップと、
等化された同期サンプルを等化レートで形成するステップであって、前記等化レートは前記補間レートよりも小さい、形成するステップと、
前記等化されたサンプルの利得を調整するステップと、
利得調整され、等化された同期サンプルを使用して、最尤シーケンス推定を表すデータシンボルを検出するステップと、
を含む方法。
【請求項１１】
前記供給するステップはアップサンプラを供給することをさらに含み、該方法は、アップサンプリングレートで非同期領域においてアップサンプリングするステップをさらに含み、前記アップサンプリングレートは前記第１のレートよりも大きい、請求項１０に記載の方法。
【請求項１２】
前記シーケンス検出器および前記補間器に相互接続されたタイミング制御回路を供給するステップと、
タイミング信号を生成するステップと、
前記タイミング信号を前記補間器に提供するステップと、
をさらに含む、請求項１０に記載の方法。
【請求項１３】
等化器誤差信号を生成するステップと、
前記等化器誤差信号を前記分数間隔等化器に提供するステップと、
をさらに含む、請求項１２に記載の方法。
【請求項１４】
前記シーケンス検出器からの判断により形成される信号推定を生成するステップ
をさらに含み、
前記等化器誤差信号を生成するステップは、利得制御前に、前記信号推定と遅延等化信号との差を含む等化器誤差信号を生成することをさらに含む、請求項１３に記載の方法。
【請求項１５】
遅延利得調整信号と前記信号推定との差を含む利得制御誤差信号を生成するステップと、
前記利得制御誤差信号を前記利得制御モジュールに提供するステップと、
をさらに含み、
前記等化器誤差信号を生成するステップおよび前記利得制御誤差信号を生成するステップは切り離される、請求項１４に記載の方法。
【請求項１６】
前記シーケンス検出器を供給するステップは、ターゲットを含むシーケンス検出器を供給することをさらに含み、該方法は、
調整されたターゲットを生成するステップと、
前記調整されたターゲットを前記シーケンス検出器に提供するステップと、
前記ターゲットを前記調整されたターゲットに設定するステップと、
をさらに含む、請求項１５に記載の方法。
【請求項１７】
前記シーケンス検出器を供給するステップは、部分応答最尤シーケンス検出器を供給することをさらに含み、前記検出するステップは、前記部分応答最尤シーケンス検出器を使用して最尤シーケンス推定を表すデータシンボルを検出することをさらに含む、請求項１５に記載の方法。
【請求項１８】
前記シーケンス検出器を供給するステップは、ノイズ予測最尤シーケンス検出器を供給することをさらに含み、前記検出するステップは、前記ノイズ予測最尤シーケンス検出器を使用して最尤シーケンス推定を表すデータシンボルを検出することをさらに含む、請求項１５に記載の方法。
【請求項１９】
前記ノイズ予測最尤シーケンス検出器は、ブランチメトリック計算アルゴリズムおよび複数の予測フィルタを備え、該予測フィルタは前記ブランチメトリック計算アルゴリズム内に埋め込まれ、前記アルゴリズムの各遷移に前記複数の予測フィルタのうちの異なる１つが関連付けられる、請求項１８に記載の方法。
【請求項２０】
プログラマブルコンピュータプロセッサと共に使用可能であり、アナログ／デジタル変換器、該アナログ／デジタル変換器に相互接続される補間器、該補間器に相互接続される分数間隔等化器、該分数間隔等化器に相互接続される利得制御モジュール、および該利得制御モジュールに相互接続されるシーケンス検出器を備える読み出しチャネルを使用してデータ記憶媒体にエンコードされた情報を読み取らせるコンピュータプログラムであって、
前記プログラマブルコンピュータプロセッサにデータ記憶媒体に書き込まれたデータトラックを読み取らせてアナログ信号を形成させるコンピュータ可読プログラムコードであって、前記データトラックは第１のレートでエンコードされた情報を含む、コンピュータ可読プログラムコードと、
前記プログラマブルコンピュータプロセッサに前記アナログ信号を固定サンプリングレートで非同期サンプリングさせてサンプリング信号を形成させるコンピュータ可読プログラムコードと、
前記プログラマブルコンピュータプロセッサに補間されたサンプルを形成させるコンピュータ可読プログラムコードと、
前記プログラマブルコンピュータプロセッサに前記補間されたサンプルを前記分数間隔等化器に、前記第１のレートよりも大きな補間レートで提供させるコンピュータ可読プログラムコードと、
前記プログラマブルコンピュータプロセッサに、前記補間レートよりも小さい等化レートで、等化されたサンプルを非同期で形成させるコンピュータ可読プログラムコードと、
前記プログラマブルコンピュータプロセッサに前記等化されたサンプルの利得を調整させるコンピュータ可読プログラムコードと、
前記プログラマブルコンピュータプロセッサに、利得調整され、等化された同期サンプルを使用して最尤シーケンス推定を表すデータシンボルを検出させるコンピュータ可読プログラムコードと、
を含むコンピュータプログラム。
【請求項２１】
前記読み出しチャネルはアップサンプラをさらに備え、該コンピュータプログラムは、前記プログラマブルコンピュータプロセッサに前記第１のレートよりも大きなレートで非同期領域においてアップサンプリングさせるコンピュータ可読プログラムコードをさらに含む、請求項２０に記載のコンピュータプログラム。
【請求項２２】
前記読み出しチャネルは、前記シーケンス検出器および前記補間器に相互接続されるタイミング制御回路をさらに備え、該コンピュータプログラムは、
前記プログラマブルコンピュータプロセッサにタイミング信号を生成させるコンピュータ可読プログラムコードと、
前記プログラマブルコンピュータプロセッサに前記タイミング信号を前記補間器に提供させるコンピュータ可読プログラムコードと、
をさらに含む、請求項２１に記載のコンピュータプログラム。
【請求項２３】
前記プログラマブルコンピュータプロセッサに等化器誤差信号を生成させるコンピュータ可読プログラムコードと、
前記プログラマブルコンピュータプロセッサに前記等化器誤差信号を前記分数間隔等化器に提供させるコンピュータ可読プログラムコードと、
をさらに含む、請求項２２に記載のコンピュータプログラム。
【請求項２４】
前記プログラマブルコンピュータプロセッサに前記シーケンス検出器の判断から信号推定を受け取らせるコンピュータ可読プログラムコードと、
前記プログラマブルコンピュータプロセッサに、利得制御前に前記信号推定と遅延等化信号との差を含む等化器誤差信号を生成させるコンピュータ可読プログラムコードと、
前記プログラマブルコンピュータプロセッサに前記等化器誤差信号を前記分数間隔等化器に提供させるコンピュータ可読プログラムコードと、
をさらに含む、請求項２３に記載のコンピュータプログラム。
【請求項２５】
前記プログラマブルコンピュータプロセッサに、遅延され利得調整された信号と前記信号推定との差を含む利得制御誤差信号を生成させるコンピュータ可読プログラムコードと、
前記プログラマブルコンピュータプロセッサに前記利得制御誤差信号を前記利得制御モジュールに提供させるコンピュータ可読プログラムコードと、
をさらに含み、
前記等化器誤差信号を生成することは前記利得制御誤差信号を生成することから切り離される、請求項２４に記載のコンピュータプログラム。
【請求項２６】
前記シーケンス検出器はターゲットを含み、該コンピュータプログラムは、
前記プログラマブルコンピュータプロセッサに調整されたターゲットを生成させるコンピュータ可読プログラムコードと、
前記プログラマブルコンピュータプロセッサに前記調整されたターゲットを前記シーケンス検出器に提供させるコンピュータ可読プログラムコードと、
前記プログラマブルコンピュータプロセッサに前記ターゲットを前記調整されたターゲットに設定させるコンピュータ可読プログラムコードと、
をさらに含む、請求項２４に記載のコンピュータプログラム。
【請求項２７】
前記シーケンス検出器は部分応答最尤シーケンス検出器を含み、該コンピュータプログラムは、前記プログラマブルコンピュータプロセッサに、前記部分応答最尤シーケンス検出器を使用して最尤シーケンス推定を表す前記データシンボルを検出させるコンピュータ可読プログラムコードをさらに含む、請求項２６に記載のコンピュータプログラム。
【請求項２８】
前記シーケンス検出器はノイズ予測最尤シーケンス検出器を含み、該コンピュータプログラムは、前記プログラマブルコンピュータプロセッサに、前記ノイズ予測最尤シーケンス検出器を使用して最尤シーケンス推定を表す前記データシンボルを検出させるコンピュータ可読プログラムコードをさらに含む、請求項２６に記載のコンピュータプログラム。
【請求項２９】
記憶サービスプロバイダにより記憶サービス顧客に提供されるサービスを向上させる方法であって、
記憶サービス顧客から受け取ったデータを情報記憶媒体に第１のレートでエンコードするステップと、
前記データを前記情報記憶媒体から読み出すステップであって、それにより、アナログ信号を形成する、読み出すステップと、
前記アナログ信号を固定サンプリングレートで非同期サンプリングするステップであって、それにより、サンプリング信号を形成する、非同期サンプリングするステップと、
補間されたサンプルを形成するステップと、
前記補間されたサンプルを分数間隔等化器に、前記第１のレートよりも大きい補間レートで提供するステップと、
前記補間レートよりも低い等化レートで、等化された同期サンプルを形成するステップと、
等化サンプルの利得を調整するステップと、
利得調整され等化された同期サンプルを使用して、最尤シーケンス推定を表すデータシンボルを検出するステップと、
を含む方法。